(57)【特許請求の範囲】
【請求項１】
複数本の骨を編糸で編んで扇状に広げ、柄に結合された弓の両先端部を前記編糸で固定して構成したうちわ素材を複数本備え、これらのうちわ素材を、隣接するうちわ素材の複数本の骨の一部をクロスして重ね合わせて両者を結合して筒状体とし、この筒状体の骨部分に和紙等のシートを必要部分貼ってシェード本体を構成し、このシェード本体の複数本の柄と弓を利用して支持板を取り付けたことを特徴とする照明用シェード。
【請求項２】
前記支持板に、前記複数本の柄に対向して複数対の突出片を形成し、複数の一対の突出片の間に構成される凹部に前記柄を挿入するとともに、前記突出片を前記弓と前記複数本の骨の最外側の骨との間に挿入したことを特徴とする請求項１記載の照明用シェード。
【請求項３】
前記複数の一対の突出片に挿入されたうちわ素材の柄が前記凹部から脱出するのを規制する規制部材を備えたことを特徴とする請求項２記載の照明用シェード。
【請求項４】
前記規制部材は、前記複数の一対の突出片に被せたカバーであることを特徴とする請求項３記載の照明用シェード。
【請求項５】
前記規制部材は、前記複数本の柄を、前記複数の一対の突出片の突出方向と逆の方向から規制する複数のＵ字状の板体であることを特徴とする請求項３記載の照明用シェード。
【請求項６】
前記規制部材は、前記複数本の柄の外側に柄の長手方向に直交して溝を形成し、これらの溝に固定部材を嵌めたものであることを特徴とする請求項３記載の照明用シェード。
【請求項７】
前記支持板に、前記複数本の柄に対向して複数対の突出片を形成し、複数の一対の突出片の間に構成される凹部に前記柄を入れるとともに、前記突出片を前記弓の前記骨側の面と反対側の面に載せたことを特徴とする請求項１記載の照明用シェード。
【請求項８】
前記シートは半透明の和紙であり、この和紙は前記骨のクロスした部分に貼られたことを特徴とする請求項１記載の照明用シェード。
【請求項９】
複数本の骨を編糸で編んで扇状に広げ、柄に取り付けられた弓の両先端部を前記編糸で固定して構成したうちわ素材を複数枚備え、これらのうちわ素材を、隣接するうちわ素材の複数本の骨の一部をクロスして重ね合わせて両者を結合して筒状体とし、この筒状体の骨部分に和紙等のシートを必要部分貼ってシェード本体を構成し、このシェード本体の複数本の柄と弓を利用して支持板を取り付け、この支持板に電源コードが接続されたソケット部を取り付けたことを特徴とする照明装置。
【請求項１０】
紙等の基準シート（３０）の上に第１の透明ガラス（３４）を置き、第１のうちわ素材（４ｂ）の弓（７ｂ）の一方の先端部付近を前記基準シート（３０）の一辺である基準線（３０ａ）に位置させ、第１のうちわ素材（４ｂ）の複数本の骨の中央付近の骨の先端近くを前記基準シート（３０）の前記基準線（３０ａ）上の角近傍に位置するようにして、第１のうちわ素材（４ｂ）を前記第１の透明ガラス（３４）の上に置き、第１のうちわ素材（４ｂ）の複数本の骨の内の前記基準シート（３０）と重なっている部分に接着剤を塗布し、第２のうちわ素材（４ａ）の最外側の骨（１３ｂ）を前記基準線（３０ａ）にあわせ、第２のうちわ素材（４ａ）の弓（７ａ）の前記最外側の骨（１３ｂ）側の先端部を前記第１のうちわ素材（４ｂ）の弓（７ｂ）の前記一方の先端部に近接させた状態で、第２のうちわ素材（４ａ）を第１のうちわ素材（４ｂ）に重ねて、両うちわ素材の骨のクロスした部分を接着し、以下同様にして複数枚のうちわ素材を連結して連結体とし、和紙等のシートを骨の部分に貼り、前記連結体の一対の最外側のうちわ素材の骨を重ねて接着剤で接着して全体を筒状体としたことを特徴とする照明用シェードの製造方法。
【請求項１１】
前記両うちわ素材の骨のクロスした部分に透明板を置き、その上に重りを載せて前記骨のクロスした部分を接着することを特徴とする請求項１０記載の照明用シェードの製造方法。
【請求項１２】
前記複数枚のうちわ素材の連結体の一対の最外側のうちわ素材を所定の状態に重ねあわせて全体を筒状態とし、前記一対の最外側のうちわ素材の骨の重なり部分の位置を印して後、一旦前記一対の最外側のうちわ素材の一方のうちわ素材を外し、他方のうちわ素材の骨の前記印した部分に接着剤を付け、再び一方のうちわ素材を他方のうちわ素材の元の位置に重ね、透明板を上に置き、その上に重りを載せて接着することを特徴とする請求項１０又は１１記載の照明用シェードの製造方法。
【請求項１３】
前記うちわ素材の骨を編む編糸を、直径が１０ｍｍ程度の軟らかな金属線としたことを特徴とする請求項１０記載の照明用シェードの製造方法。
【発明の詳細な説明】
【技術分野】
【０００１】  本発明は、インテリアとして用いて好適な照明用シェードとその製造方法および照明装置に関するものである。
【背景技術】
【０００２】  インテリアとしても用いられる照明装置は種々のものが開発されているが、インテリア性を高めるほど構造も複雑かつ、組立も複雑になるのが一般的である。【０００３】  和紙等のシートを用いて光源を取り囲むようにして、軟らかい光を得るようにしたインテリアとしても用いることができる照明装置が特開２００８−２５８０００号公報（特許文献１）で知られている。
【先行技術文献】
【０００４】
【特許文献】
【特許文献１】特開２００８−２５８０００号公報
【発明の概要】
【発明が解決しようとする課題】
【０００５】  この特許文献１に記載の照明装置は、光源を簡単な手段で周囲４本の支柱に取り付けられるようにし、これらの支柱の周りに和紙のシートを張り巡らせたものであるが、和紙の風合いもあってインテリアとしても好適と考えられるが、全体の構成は箱型であり高度なインテリア性は感じられない。【０００６】  本発明は、上記に鑑みなされたものであって、より高度なインテリア性が感じられ、しかも構成、組立も比較的容易な照明用シェードとその製造方法および照明装置を提供することを目的とする。
【課題を解決するための手段】
【０００７】  本発明の照明用シェードは、複数本の骨を編糸で編んで扇状に広げ、柄に結合された弓の両先端部を前記編糸で固定して構成したうちわ素材を複数本備え、これらのうちわ素材を、隣接するうちわ素材の複数本の骨の一部をクロスして重ね合わせて両者を結合して筒状体とし、この筒状体の骨部分に和紙等のシートを必要部分貼ってシェード本体を構成し、このシェード本体の複数本の柄と弓を利用して支持板を取り付けたことを特徴とする。
また、前記支持板に、前記複数本の柄に対向して複数対の突出片を形成し、複数の一対の突出片の間に構成される凹部に前記柄を入れるとともに、前記突出片を前記弓と前記複数本の骨の最外側の骨との間に挿入したことを特徴とする。【０００８】  また、前記複数の一対の突出片に挿入されたうちわ素材の柄が前記凹部から脱出するのを規制する規制部材を備えたことを特徴とする。
また、前記規制部材は、前記複数の一対の突出片に被せたカバーであることを特徴とする。
また、前記規制部材は、前記複数本の柄を、前記複数の一対の突出片の突出方向と逆の方向から規制する複数のＵ字状の板体であることを特徴とする。
また、前記規制部材は、前記複数本の柄の外側に柄の長手方向に直交して溝を形成し、これらの溝に固定部材を嵌めたものであることを特徴とする。【０００９】  また、前記支持板に、前記複数本の柄に対向して複数対の突出片を形成し、複数の一対の突出片の間に構成される凹部に前記柄を入れるとともに、前記突出片を前記弓の前記骨側の面と反対側の面に載せたことを特徴とする。
また、前記シートは半透明の和紙であり、この和紙は前記骨のクロスした部分に貼られたことを特徴とする。
また、本発明の照明装置は、複数本の骨を編糸で編んで扇状に広げ、柄に取り付けられた弓の両先端部を前記編糸で固定して構成したうちわ素材を複数枚備え、これらのうちわ素材を、隣接するうちわ素材の複数本の骨の一部をクロスして重ね合わせて両者を結合して筒状体とし、この筒状体の骨部分に和紙等のシートを必要部分貼ってシェード本体を構成し、このシェード本体の複数本の柄と弓を利用して支持板を取り付け、この支持板に電源コードが接続されたソケット部を取り付けたことを特徴とする。【００１０】  本発明の照明用シェードの製造方法は、紙等の基準シート（３０）の上に第１の透明ガラス（３４）を置き、第１のうちわ素材（４ｂ）の弓（７ｂ）の一方の先端部付近を前記基準シート（３０）の一辺である基準線（３０ａ）に位置させ、第１のうちわ素材（４ｂ）の複数本の骨の中央付近の骨の先端近くを前記基準シート（３０）の前記基準線（３０ａ）上の角近傍に位置するようにして、第１のうちわ素材（４ｂ）を前記第１の透明ガラス（３４）の上に置き、第１のうちわ素材（４ｂ）の複数本の骨の内の前記基準シート（３０）と重なっている部分に接着剤を塗布し、第２のうちわ素材（４ａ）の最外側の骨（１３ｂ）を前記基準線（３０ａ）にあわせ、第２のうちわ素材（４ａ）の弓（７ａ）の前記最外側の骨（１３ｂ）側の先端部を前記第１のうちわ素材（４ｂ）の弓（７ｂ）の前記一方の先端部に近接させた状態で、第２のうちわ素材（４ａ）を第１のうちわ素材（４ｂ）に重ねて、両うちわ素材の骨のクロスした部分を接着し、以下同様にして複数枚のうちわ素材を連結して連結体とし、和紙等のシートを骨の部分に貼り、前記連結体の一対の最外側のうちわ素材の骨を重ねて接着剤で接着して全体を筒状体としたことを特徴とする。【００１１】  前記両うちわ素材の骨のクロスした部分に透明板を置き、その上に重りを載せて前記骨のクロスした部分を接着することを特徴とする。
また、前記複数枚のうちわ素材の連結体の一対の最外側のうちわ素材を所定の状態に重ねあわせて全体を筒状態とし、前記一対の最外側のうちわ素材の骨の重なり部分の位置を印して後、一旦前記一対の最外側のうちわ素材の一方のうちわ素材を外し、他方のうちわ素材の骨の前記印した部分に接着剤を付け、再び一方のうちわ素材を他方のうちわ素材の元の位置に重ね、透明板を上に置き、その上に重りを載せて接着することを特徴とする。
さらに、前記うちわ素材の骨を編む編糸を、直径が１０ｍｍ程度の軟らかな金属線としたことを特徴とする。
【発明の効果】
【００１２】  以上のように、本発明の照明用シェードとその製造方法および照明装置は、うちわ素材を用いたユニークなものであり、インテリア性が極めて高いものである。しかもうちわ素材は通常のうちわを製作するときのものをそのまま利用できるので好都合である。その意味で、製造も比較的容易に行うことができる。
また、うちわ素材の本来持っている柄と弓を用いて支持板を取付けるようにしているので、支持板の取り付けが容易である。
また、支持板に設けた一対の突出片でできる凹部に柄を挿入し、柄が前記凹部から脱出しないように規制部材を設けたので、うちわ素材の柄が固定（少しのがたつきは問題がない）される。【００１３】  また、前記突出片をカバーで覆ったり、Ｕ字状板体で規制することとしたので前記突出片の先端で手等を傷つけることはない。
また、本発明の照明用シェードを用いた照明装置は、上下逆にしても使用することができ、吊り下げタイプとしても設置タイプとしても用いることができるので多目的に使用でき便利である。
さらに、本発明の照明用シェードの製造方法は、極めてユニークな方法を採用しているので、うちわ素材が天然の竹を用いたものであっても、確実にシェードを製造することができる。
【図面の簡単な説明】
【００１４】
【図１】本発明の実施の形態に係る照明用シェードの斜視図である。
【図２】本発明の実施の形態に係る照明用シェードの一部を断面にして示す平面図ある。
【図３】同照明用シェードの一部分の斜視図である。
【図４】ａ，ｂは本発明の実施の形態に係る照明装置に用いるソケットとその周辺部分の正面図および一部を断面にして示す分解斜視図である。
【図５】ａ，ｂは本発明の他の実施の形態に係る照明用シェードの一部分の平面図および部品の斜視図である。
【図６】同他の実施の形態に係る照明用シェードの一部分の平面図である。
【図７】同他の実施の形態に係る照明装置の概略斜視図である。
【図８】同さらに他の実施の形態に係る照明装置の概略斜視図である。
【図９】本発明の照明用シェードの製造方法を説明するためのうちわ素材等の平面図である。
【図１０】同平面図である。
【図１１】同断正面図である。
【図１２】同連結状態にあるうちわ素材の平面図である。
【図１３】同２つのうちわ素材の連結状態を示す平面図である。
【図１４】同製造方法の最終段階の状態を示す正面図である。
【図１５】同他の実施の形態のうちわ素材の斜視図である。
【発明を実施するための形態】
【実施例】
【００１５】  以下、本発明の実施の形態について図面とともに説明する。
図１、図２に示す照明装置のシェードは５本のうちわの素材を用いて構成されている。天然の竹製の柄１ａ，１ｂの端部から続く多数本の骨２ａ，２ｂは編糸３ａ，３ｂによって編まれ扇状に開かれている。説明では柄１ａ，１ｂ、骨２ａ，２ｂ、網糸３ａ，３ｂとうちわ素材４ａ，４ｂを用いているが、他のうちわ素材４ｃ，４ｄ，４ｅもうちわ素材４ａ，４ｂと同様に構成され結合される。
図１、図２に示すシェードは５本のうちわ素材を用いて構成されているが、無理をすれば２本でも構成でき、６本以上でも勿論構成できる。うちわ素材は複数本必要であるが、４本か５本が最も良い。【００１６】  隣接するうちわ素材４ａ，４ｂは弓７ａ，７ｂの先端部分で糸を用いて結合させている。８が結合部分である。骨２ａ，２ｂは図１に示すように一部でクロスしている。５がクロス部分である。このクロス部分５の骨２ａ，２ｂは接着剤で結合されている。クロス部分５には半透明の和紙６が接着剤により張られている。半透明の和紙を使用するのは、光が外へ漏れるようにするとともに、骨２ａ，２ｂが透けて見えるようにするためである。和紙は多数の小さな穴があいている洛水紙を用いるとより効果的である。また、白い和紙に藍染めで一部に図柄を施すとより美しくなる。【００１７】  和紙以外の例えば、薄い樹脂製のシートを用いてもよい。不透明にして表面に図柄を描いてもよいが、不透明の場合はここから光が洩れず、しかも骨のクロス部５が見えないので、半透明のものに比べると劣る。
このような、構成が全てのうちわ素材４ａ，４ｂ，４ｃ，４ｄ，４ｅに施されると全体の形状は図１，２に示すように下方に開いた筒状体９となる。この筒状体がシェード本体となる。上記ではうちわ素材として天然の竹を用いたものを示したが、樹脂製のうちわ素材でも実施することができる。【００１８】  この筒状体９を図２に示すように支持板１０に取付ける。支持板１０には５対の突出片が形成されている。代表して一対の突出片１１ａ，１１ｂについて説明する。突出片１１ａ，１１ｂの間に凹部１２が形成されている。この凹部１２の幅はうちわ素材４ａの柄１ａの幅より少し大きく設定されている。そして、この凹部１２に柄１ａを挿入する。【００１９】  この挿入に際しては、図３に示すように、突出片１１ａ，１１ｂをうちわ素材４ａの弓７ａと最外側の骨１３ａ，１３ｂとの間に挿入する。全てのうちわ素材４ａ，４ｂ，４ｃ，４ｄ，４ｅのそれぞれの柄をそれぞれの対向する凹部に挿入する。柄は支持板１０の中心に向かって倒れるようにすることもできるので、この場合は全ての柄は凹部１２の底に圧接し固定される。
支持板１０は金属製の板あるいは樹脂製の板で構成されている。うちわ素材の本数が多い場合でも、その全ての柄に対向して突出片を設けてもよいが、必ずしもすべての柄に設ける必要はない。以上が照明用のシェードの構造である。【００２０】  支持板１０の中央にＵ字状の凹部１４を形成し、ここに図４に示すようにソケット部１５を取付ける。ソケット部１５は市販されているものを用いればよい。概略を説明すると、図４ａ，ｂに示すように、内部にソケットを内蔵した碍子で構成されたソケット本体１６は金属製のキャップ１７で覆われている。そして、ソケット本体１６の端部にはねじ部１８が突出しており、ねじ部１８の中空部を通って電源コード１９が出ている。ねじ部１８にはリング状のゴムワッシャー２０とキャップ２１とナット部２２が挿通している。【００２１】  ワッシャー２０とキャップ２１との間に支持板１０を挿入し、ナット部２２をねじ部１８に螺合することにより支持板１０をソケット部１５に取付けることができる。また、支持板１０の凹部１４に替えて円形の透孔とし、ここに図４ｂのソケットとは異なる市販のソケット（ソケット部の下にねじ部が突出しており、このねじ部に締付リングが螺合しているもの）を用いて、上記ねじ部を上記透孔に挿入して締付リングで締め付けるようにしても良い。
以上が照明装置の構成である。２３はソケット部１５に取り付けられた電球である。電源コード１９の他端を室内の天井等の電源部に取り付ければ照明装置を吊り下げることができる。【００２２】  図２からも明らかなように、支持板１０の凹部１２にうちわ素材４ａの柄１ａが入っている。シェード全体は手作りであり、しかもうちわ素材４ａは天然の竹を用いているので、支持板１０の凹部１２の底に柄１ａが圧接するとは限らない。時として、凹部１２から柄１ａが抜け出ることもある。
そこで、支持板１０の凹部１２を構成している突出片１１ａ，１１ｂの長さを長くして、柄１ａが凹部１２から飛び出さないようにすることが考えられる。しかしながら、突出片１１ａ，１１ｂを長くした場合でも凹部１２の中で柄１ａが遊び状態になることがある。【００２３】  そこで、突出片１１ａ，１１ｂの長さを少し長くし、ここに、図５ａ，ｂに示すようにカバー２４を取付ける。このカバー２４は例えば、軟質塩化ビニル等の素材で構成され、突出片１１ａ，１１ｂが挿入される凹所２５が設けられる。そしてここに突出片１１ａ，１１ｂが圧入され、容易に抜け出ないようになっている。
材料はゴム等、他のものでもよい。硬質のプラスチック等で作った場合には、カバー２４の内壁に凹部又は凸部を形成し、突出片１１ａ，１１ｂの表面に凸部又は凹部を形成し、両者を結合して、カバー２４と突出片１１ａ，１１ｂとの結合が容易に解けないようにしてもよい。このカバー２４が存在することにより、柄１ａの遊びが無くなり、柄１ａは支持板１０に固定される。また、カバー２４で覆われるので突出片１１ａ，１１ｂの先端で手などを傷つけることもなくなる。なお、柄１ａの少しの遊びは問題がない。【００２４】  柄１ａを抑える手段としては、種々のものが考えられ、例えば、図６に示すように、Ｕ字状の板体２６をプラスチック等で構成し、板体２６の両脚を長くし、柄１ａを板体２６によって外方から包むようにして、柄１ａが凹部１２から出ないようにする。板体２６の取付は板体２６の両脚をビスナットにより支持板１０に固定するようにしてもよいが、ビスナットが余分に必要なる。そこで図６に示すように板体２６の両脚の先端を支持板１０の中央部に向かって伸ばし、支持板１０取付時にキャップ２１でともに押さえるようにすれば、特別な取付手段は必要ない。図６に示すように、板体２６と突出片１１ａ，１１ｂの先端の形状を工夫すれば、突出片１１ａ，１１ｂの先端で手などを傷つけることはない。【００２５】  図示はしていないが、他の手段として、うちわ素材４ａ，４ｂ，４ｃ，４ｄ，４ｅの柄の先端部近くの外面に柄の長手方向に直交して溝を形成し、これらの溝に一個の金属製又は樹脂製のリングを嵌入して全ての柄を内側へ付勢するようにしてもよい。リングは紐でもよく固定部材を溝に嵌めるようにすればよい。
以上のように、図５，６および上記の固定部材のように、一対の突出片に挿入されたうちわ素材の柄が凹部から脱出するのを規制する規制部材をもうければよい。【００２６】  このように構成されたシェードは図７に示すように図１と上下を逆にし、全ての柄（１ａ，１ｂのみ示している。）を基台２７に設けた穴（２８ａ，２８ｂのみ示している。）に挿入して用いてもよい。
また、図８に示すように、床或いは台２９の上に図１とは逆向きにして置いて用いてもよい。支持台１０は図３と同様にして取付ても良いが、図８に示すように弓（７ａ，７ｂのみ示している。）の上に載置してもよい。このとき勿論凹部１２に柄１ａを入れる。他の柄も同様である。【００２７】  この場合、支持板１０は上方に抜け出る可能性があるので、支持板１０と５本の柄を結合する必要がある。上述したように、うちわ素材４ａ，４ｂ，４ｃ，４ｄ，４ｅの柄の先端部近くの外面に柄の長手方向に直交して溝を形成し、これらの溝に一個の金属製又は樹脂製のリングを嵌入して全ての柄を内側へ付勢するようにすれば支持板１０が抜け出ることはない。【００２８】  次に、上記のシェードの製造方法について説明する。
図１のシェードはうちわ素材を５本用いたものを示したが、便宜上うちわ素材を４本用いた場合について説明する。
図９，１０，１１に示すように、紙等の基準シート３０の上に第１の透明ガラス板３１を置く。まず、うちわ素材４ｂの中央の骨より一つ右（基準シート３０から離れる方向）の骨の先端近くを基準シート３０の角近傍（基準点）３２に合わせる。角でなくても基準シートの一辺（基準線）の何処かに印を付けて基準点とすれば良い。うちわ素材４ｂの弓７ｂの一方の先端部付近を基準シート３０の一辺（基準線）３０ａに合わせる。【００２９】  この状態で、図９に示すようにうちわ素材４ｂの骨２ｂのうち基準シート３０と重なっている部分にのみ接着材３３を付ける。次に、図１０に示すように、うちわ素材４ａの最外側の骨１３ｂを基準シート３０の上記一辺３０ａに合わせ、弓７ａの一方の先端部を弓７ｂの一方の先端部に近接させた状態で、うちわ素材４ａをうちわ素材４ｂに重ねる。その上に第２の透明ガラス板３４を置き、第１１図に示すように重り３５を載せて数時間放置して乾燥させる。
接着剤３３は水溶性の木工ボンドを用いるとよい。透明ガラス板３４にも接着剤３３が付着するが、水溶性であるので容易に除去することができる。接着剤は他のものでもよい。【００３０】  上記の作業によって図１３に示すように２つのうちわ素材４ａ，４ｂを結合することができ、重なり部分に綺麗な模様を作りだすことができる。同様にして残りのうちわ素材４ｃ，４ｄも図１３と同じ形状に構成する。次に２組の連結されたうちわ素材を同士を同じ方法で連結し、概略図１２に示すものができる。図１２では骨を省略して示している。
この状態でうちわ素材の重なり部分は３か所Ａ，Ｂ，Ｃ（図１２）存在する。この部分に和紙６を表と裏に貼っておく。平面状態で貼れるので作業性が良い。【００３１】  次に、図１２の状態から全体を曲げてうちわ素材４ａと４ｄとを重ね筒状体にする。今、重なり部分が上にあるのでこれを反転して図１４に示すように第１の透明ガラス板３１の上に置き、重なり部分を調整して、所定の重なりになるようにする。下にあるうちわ素材４ａの重なり部分の範囲を印しを付けるなどして確認し、上にあるうちわ素材４ｄを一旦取り去り、うちわ素材４ａの確認した重なり部分に接着材３３を付ける。再びうちわ素材４ｄをうちわ素材４ａの所定の位置に重ねる。筒状になったところに第３の透明ガラス板３６を挿入し重なり部分の上に置く。この上に重り３５を置き乾燥させる。図１４は重り３５を載せた状態を示している。【００３２】  次に、残りの重なり部分の表と裏に和紙６を貼れば完成する。
図９では第１の透明ガラス板３１の下に基準シート３０を置いたが、第１の透明ガラス板３１の裏面に基準シート３０の一辺３０ａに相当する基準線をあらかじめ書いておいても良い。
第１の透明ガラス板３０または第１の透明ガラス板に換えて不透明な金属板或いは樹脂板を用い、その表面に基準シート３０の一辺３０ａに相当する基準線を付しておいてもよい。この場合、後の作業で、付着した接着剤３３を拭き取らなければならないので、線が消えないように、線を掘ってその中に塗料を入れて線が分かりやすくするなどの工夫をする必要がある。要するに、第１の基板から基準線を読み取ることができるようにしておけばよい。【００３３】  なお、第２の透明ガラス板３４、第３の透明ガラス板３６は透明な樹脂板で構成してもよいが透明であることが必要である。つまりうちわ素材を２枚重ねてその上に第２の透明ガラス板３４または第３の透明ガラス板３６を重ねた場合、２枚のうちわ素材の重なり状態が良好かどうかを確認し、ずれがあると修正する必要があるからである。
上記の製造方法では、２枚のうちわ素材を連結したものを２組作り、これを連結して１枚の連結体としたが、２枚のうちわ素材を連結したものに一枚ずつうちわ素材を連結してもよい。【００３４】  図１５に示すものは編糸を軟らかい金属線３７で構成したものである。編糸より少し太いものであり、編んだあとで湾曲させると図１５のように自在に全体を湾曲させることができる。これを用いると上述の全体を輪にする作業がやりやすくなる。金属線３７は直径１ｍｍ程度（０．５ｍｍ〜２．０ｍｍ）の軟らかい、すなわち、うちわ素材の複数本の骨を編むことができる程度のものであればよい。この金属線３７も編糸と云う。【００３５】  以上のように構成し、製造した照明用シェード、照明装置は、うちわ素材を用いたユニークなものであり、インテリア性が極めて高いものである。しかもうちわ素材は通常のうちわを製作するときのものをそのまま利用できるので好都合である。その意味で、製造も比較的容易に行うことができる。
【産業上の利用可能性】
【００３６】本発明の照明用シェード、照明装置はインテリアとしての室内等の照明に用いて有用である。
【符号の説明】
【００３７】１ａ，１ｂ：柄
２ａ，２ｂ：骨
３ａ，３ｂ：編糸
４ａ，４ｂ，４ｃ，４ｄ，４ｅ：うちわ素材
５：クロス部分
６：和紙
７ａ，７ｂ：弓
８：結合部分
９：筒状体
１０：支持板
１１ａ、１１ｂ：突出片
１２：凹部
１３ａ，１３ｂ：最外側の骨
１４：Ｕ字状凹部
１５：ソケット部
２４：カバー
２５：凹所
２６：Ｕ字状の板体
２７：基台
２８ａ，２８ｂ：穴
２９：台
３０：基準シート
３０ａ：基準線
３１：第１の透明ガラス板
３２：基準シートの角
３３：接着材
３４：第２の透明ガラス板
３５：重り
３６：第３の透明ガラス板
３７：金属線
【図１】
0005522456.tif 000002
【図２】
0005522456.tif 000003
【図３】
0005522456.tif 000004
【図４】
0005522456.tif 000005
【図５】
0005522456.tif 000006
【図６】
0005522456.tif 000007
【図７】
0005522456.tif 000008
【図８】
0005522456.tif 000009
【図９】
0005522456.tif 000010
【図１０】
0005522456.tif 000011
【図１１】
0005522456.tif 000012
【図１２】
0005522456.tif 000013
【図１３】
0005522456.tif 000014
【図１４】
0005522456.tif 000015
【図１５】
0005522456.tif 000016